(57)【要約】【課題】表示装置において、コストアップを抑制し、画面の視認性を向上させることが可能な技術を提供する。【解決手段】表示装置は、映像が表示される画面を有する表示部と、前記表示部の前記画面側に配置されるタッチパネル部と、前記タッチパネル部を支持し、前記表示部の前記画面側に開口を有する前記表示部の収容部を備える枠体部と、前記画面に沿った前記画面の外側、且つ前記表示部と前記タッチパネル部との間に配置されるスペーサと、を備え、前記表示部は、前記収容部の前記開口の内縁部よりも内側に配置される。【選択図】図３
2019124755.tif 000002
【特許請求の範囲】
【請求項１】
映像が表示される画面を有する表示部と、
前記表示部の前記画面側に配置されるタッチパネル部と、
前記タッチパネル部を支持し、前記表示部の前記画面側に開口を有する前記表示部の収容部を備える枠体部と、
前記表示部と前記タッチパネル部との間、且つ前記画面に沿った前記画面の外側に配置されるスペーサと、
を備え、
前記表示部は、前記収容部の前記開口の内縁部よりも内側に配置される表示装置。
【請求項２】
前記スペーサは、前記表示部と前記タッチパネル部とを結合させる結合部材である請求項１に記載の表示装置。
【請求項３】
前記スペーサは、前記表示部及び前記タッチパネル部のすくなくとも一方に対して結合されることなく接触する弾性部材である請求項１に記載の表示装置。
【請求項４】
前記表示部を支持する第１ホルダと、
前記枠体部を支持する第２ホルダと、
前記第１ホルダと前記第２ホルダとの相対位置を変更可能に前記第１ホルダと前記第２ホルダとを接続する接続部と、
を備える請求項１から請求項３のいずれかに記載の表示装置。
【発明の詳細な説明】
【技術分野】
【０００１】
本発明は、表示装置に関する。
【背景技術】
【０００２】
近年、画面にタッチして操作することが可能なタッチパネル部を備えた表示装置が様々な分野で普及している。その一例として、例えば静電容量方式のタッチパネル機能付き表示装置が特許文献１に開示されている。
【０００３】
特許文献１に記載された従来の表示装置では、表示パネルとタッチパネルとが表示パネルの画面全体に配置された貼着体によって貼り合わされた、いわゆるダイレクトボンディング方式が採用される。これにより、画面の視認性が向上し、表示装置の高品質化を図ることができる。
【先行技術文献】
【特許文献】
【０００４】
【特許文献１】特開２０１７−４２５７号公報
【発明の概要】
【発明が解決しようとする課題】
【０００５】
しかしながら、特許文献１に記載の従来技術であるダイレクトボンディング方式はコストアップが課題であった。これにより、表示装置の大画面化の推進にも支障をきたすことが懸念された。
【０００６】
本発明は、上記の課題に鑑みなされたものであり、表示装置において、コストアップを抑制し、画面の視認性を向上させることが可能な技術を提供することを目的とする。
【課題を解決するための手段】
【０００７】
本発明に係る表示装置は、映像が表示される画面を有する表示部と、前記表示部の前記画面側に配置されるタッチパネル部と、前記タッチパネル部を支持し、前記表示部の前記画面側に開口を有する前記表示部の収容部を備える枠体部と、前記画面に沿った前記画面の外側、且つ前記表示部と前記タッチパネル部との間に配置されるスペーサと、を備え、前記表示部は、前記収容部の前記開口の内縁部よりも内側に配置される構成（第１の構成）である。
【０００８】
また、上記第１の構成の表示装置において、前記スペーサは、前記表示部と前記タッチパネル部とを結合させる結合部材である構成（第２の構成）であっても良い。
【０００９】
また、上記第１の構成の表示装置において、前記スペーサは、前記表示部及び前記タッチパネル部のすくなくとも一方に対して結合されることなく接触する弾性部材である構成（第３の構成）であっても良い。
【００１０】
また、上記第１から第３の構成の表示装置において、前記表示部を支持する第１ホルダと、前記枠体部を支持する第２ホルダと、前記第１ホルダと前記第２ホルダとの相対位置を変更可能に前記第１ホルダと前記第２ホルダとを接続する接続部と、を備える構成（第４の構成）であっても良い。
【発明の効果】
【００１１】
本発明の構成によれば、タッチパネル部を支持する枠体部が、表示部とタッチパネル部との間に介在しない。すなわち、表示部とタッチパネル部とを、画面全体で貼り合わせることなく、互いに接近させることができる。したがって、表示装置のコストアップを抑制し、画面の視認性を向上させることが可能になる。
【図面の簡単な説明】
【００１２】
【図１】実施形態の表示装置の正面図である。
【図２】表示装置の分解斜視図である。
【図３】図１のIII−III線における表示装置の部分水平断面図である。
【図４】図３の表示装置の部分拡大水平断面図である。
【発明を実施するための形態】
【００１３】
以下、本発明の例示的な実施形態について、図面を参照しながら詳細に説明する。なお、本発明は以下の内容に限定されるものではない。
【００１４】
＜１．表示装置の全体構成＞
図１は、実施形態の表示装置１の正面図である。図２は、表示装置１の分解斜視図である。なお、図１において、上下方向が表示装置１の上下方向であり、左右横方向が表示装置１の左右横方向であり、紙面奥行き方向が表示装置１の前後方向である。
【００１５】
表示装置１は正面から見て矩形の直方体形状で構成される。表示装置１は、図１及び図２示す枠体部２、タッチパネル部３、オーバーレイフィルム４、表示部５、スペーサ６、第１ホルダ７、第２ホルダ８及び後板９を備える。
【００１６】
枠体部２は表示装置１の周縁部に配置される。枠体部２は正面から見て矩形の額縁形状で構成される。枠体部２は正面側においてタッチパネル部３及びオーバーレイフィルム４を支持する。
【００１７】
タッチパネル部３は枠体部２の正面に配置される。タッチパネル部３の正面側にはオーバーレイフィルム４が配置される。タッチパネル部３はオーバーレイフィルム４と枠体部２との間に配置される。また、タッチパネル部３は表示部５の画面５１側に配置される。
【００１８】
タッチパネル部３は、例えば静電容量式のタッチパネルで構成される。タッチパネル部３はその表面であるタッチ領域がユーザーの手の指先等の被検出体でタッチされると、被検出体の検出位置に対応する電極の静電容量が変化する。これにより、タッチパネル部３はタッチ領域のタッチされた位置を検知し、その静電容量の変化を検知信号として出力する。タッチパネル部３の出力信号は制御部（不図示）に送信される。
【００１９】
表示部５は枠体部２の内側に配置される。表示部５は映像が表示される画面５１を有する。表示部５の画面５１は表示装置１の正面側に臨み、その正面にタッチパネル部３が位置する。表示部５は、例えば液晶表示パネルで構成される。表示部５は表示装置１の制御部からの指令を受信し、各種の情報を画面５１に表示する。
【００２０】
なお、タッチパネル部３は表示部５の画面５１上に重ねて配置される。これにより、表示部５の画面５１の全体がタッチパネル部３のタッチ領域となる。
【００２１】
スペーサ６は表示部５とタッチパネル部３との間に配置される。且つ、スペーサ６は表示部５の画面５１に沿った画面５１の外側に配置される。すなわち、スペーサ６は正面から見て矩形の帯状で構成される。
【００２２】
第１ホルダ７は表示部５の背面側に配置される。第１ホルダ７は表示部５を支持する。第１ホルダ７は、例えば板金で構成される。
【００２３】
第２ホルダ８は枠体部２の背面側に配置される。第２ホルダ８は枠体部２を支持する。第２ホルダ８は、例えば板金で構成される。第１ホルダ７と第２ホルダ８とは互いに接続される。
【００２４】
後板９は第１ホルダ７及び第２ホルダ８の背面側であって、表示装置１の最も背面側に配置される。後板９は第１ホルダ７及び第２ホルダ８と対向する正面側並びに下側が開放された略直方体の箱体である。後板９は、例えば板金で構成される。
【００２５】
＜２．表示装置の詳細な構成＞
続いて、表示装置１の詳細な構成について説明する。図３は、図１のIII−III線における表示装置１の部分水平断面図である。図４は、図３の表示装置１の部分拡大水平断面図である。
【００２６】
枠体部２は正面に、後方に向かって窪む第１凹部２１を備える。第１凹部２１の外形はオーバーレイフィルム４の外形と形状及び大きさがほぼ同じであり、枠体部２の外周縁よりも小さい。第１凹部２１はオーバーレイフィルム４を収容する。オーバーレイフィルム４は、その外周部が第１凹部２１の、表示装置１の正面との対向面に貼付される。オーバーレイフィルム４は、例えば両面テープ１０等を用いて第１凹部２１に貼付される。
【００２７】
枠体部２は第１凹部２１の内側に、後方に向かって窪む第２凹部２２を備える。第２凹部２２の外形はタッチパネル部３の外形と形状及び大きさがほぼ同じであり、第１凹部２１の外形よりも小さい。第２凹部２２はタッチパネル部３を収容する。タッチパネル部３は、その正面全体がオーバーレイフィルム４によって覆われ、オーバーレイフィルム４の背面に密着する。
【００２８】
枠体部２は第２凹部２２の内側であって正面から見た中央部に、表示部５の収容部２３を備える。収容部２３は表示装置１の正面側であって表示部５の画面５１側に開口２３ａを有する。表示部５は、収容部２３の開口２３ａの内縁部よりも内側に配置される。言い換えると、収容部２３の開口２３ａの内縁部は表示部５の外縁部よりも外側に位置する。すなわち、枠体部２は正面から見て表示部５と重なっていない。
【００２９】
この構成によれば、タッチパネル部３を支持する枠体部２が、表示部５とタッチパネル部３との間に介在しない。すなわち、表示部５とタッチパネル部３とを、画面５１全体で貼り合わせることなく、互いに接近させることができる。したがって、表示装置１のコストアップを抑制し、画面５１の視認性を向上させることが可能になる。
【００３０】
例えば、表示装置を車両に搭載する場合、ユーザーは画面を斜め方向から見ることが多くなる。これにより、表示部とタッチパネル部との間隔が広いと、視差が生じ易くなり、画面の表示とユーザーのタッチ位置とにずれが生じる虞がある。これに対して上記実施形態の表示装置１によれば、安価な簡便な構成で、表示部５とタッチパネル部３とを互いに接近させることができ、タッチ位置のずれを防止することが可能になる。
【００３１】
スペーサ６は表示部５とタッチパネル部３とを結合させる結合部材とすることができる。この場合、スペーサ６は、例えば両面テープや接着剤で構成される。スペーサ６は表示部５及びタッチパネル部３それぞれに対して結合する。この構成によれば、表示装置１の強度を向上させることができる。また、画面５１上への塵埃の侵入を防止する効果を高めることが可能になる。また、スペーサ６を圧縮すれば、部品自体の寸法のばらつきや、組み立て時の寸法のばらつきを抑制することができる。
【００３２】
また、スペーサ６は表示部５及びタッチパネル部３のすくなくとも一方に対して結合されることなく接触する弾性部材とすることができる。この場合、スペーサ６は、例えば弾性を有する防塵スペーサで構成される。スペーサ６は表示部５及びタッチパネル部３の一方、若しくは両方に対して結合されることなく接触する。この構成によれば、例えば修理時のように分解する場合、表示部５とタッチパネル部３とを容易に分離することができる。したがって、分解するときの作業性を向上させることが可能である。さらに、修理時の部品の流用性、再利用性が高くなる。また、スペーサ６を圧縮すれば、部品自体の寸法のばらつきや、組み立て時の寸法のばらつきを抑制することができる。
【００３３】
表示部５は、その背面にボス部５２を有する。表示部５は、ボス部５２がネジ１１によって第１ホルダ７に締結され、固定される。
【００３４】
枠体部２は、その表示装置１の背面との対向面にボス部２４を有する。枠体部２は、ボス部２４がネジ１２によって第２ホルダ８に締結され、固定される。
【００３５】
第１ホルダ７は前後方向及び上下方向に延びる折り曲げ部７ａを有する。同様に、第２ホルダ８は前後方向及び上下方向に延びる折り曲げ部８ａを有する。第１ホルダ７の折り曲げ部７ａと、第２ホルダ８の折り曲げ部８ａとは、互いに平行である。第１ホルダ７の折り曲げ部７ａの外側面と、第２ホルダ８の折り曲げ部８ａの外側面とは、互いに左右横方向において対向するとともに接触する。
【００３６】
第１ホルダ７の折り曲げ部７ａと、第２ホルダ８の折り曲げ部８ａとの接触領域には接続部１３が設けられる。接続部１３は第１ホルダ７と第２ホルダ８とを互いに固定するネジ１４を有する。接続部１３は第１ホルダ７と第２ホルダ８との相対位置を変更可能に第１ホルダ７と第２ホルダ８とを接続する。
【００３７】
例えば、ネジ１４の頭１４ａと、第１ホルダ７の折り曲げ部７ａとの間の第２ホルダ８の折り曲げ部８ａには、長穴で構成されるネジ穴８ｂが設けられる。ネジ穴８ｂは前後方向に長く延びる長穴である。これにより、第２ホルダ８は第１ホルダ７に対して相対位置が変更可能である。このようにして、接続部１３は第１ホルダ７と第２ホルダ８との相対位置を変更可能にする。
【００３８】
この構成によれば、枠体部２と表示部５との、前後方向における相対位置が任意に変更可能になる。すなわち、枠体部２に固定されたタッチパネル部３と表示部５との、前後方向における相対位置が任意に変更可能になる。これにより、スペーサ６に対する加圧力を適宜任意に調整することができ、タッチパネル部３と表示部５との間隔を一定に保持することが可能になる。したがって、防塵性能を向上させることができ、且つ画面５１の視認性をより一層向上させることが可能になる。
【００３９】
＜３．その他＞
本明細書中に開示されている種々の技術的特徴は、上記実施形態のほか、その技術的創作の主旨を逸脱しない範囲で種々の変更を加えることが可能である。すなわち、上記実施形態は全ての点で例示であって、制限的なものではないと考えられるべきである。本発明の技術的範囲は上記実施形態の説明ではなく、特許請求の範囲によって示されるものであり、特許請求の範囲と均等の意味及び範囲内に属する全ての変更が含まれると理解されるべきである。
【符号の説明】
【００４０】
１      表示装置
２      枠体部
３      タッチパネル部
５      表示部
６      スペーサ
７      第１ホルダ
８      第２ホルダ
９      後板
１３      接続部
２３      収容部
２３ａ    開口
５１      画面
【図１】
2019124755.tif 000003
【図２】
2019124755.tif 000004
【図３】
2019124755.tif 000005
【図４】
2019124755.tif 000006